(57)【要約】【課題】カラーの写真画像は多数色を使用して再現されており、このカラー写真画像について一義的に文字領域と同様の方法によりモノクロ変換すると、操作者の要望に適した出力を行うことができない。【解決手段】カラー画像形成装置２００は、操作部２５１からの入力を受けて、モノクロ変換方法を選択する。そして、カラー原稿Ｓ２を画像読取部２０１により読み取り、得られたカラー画像データに対してモノクロ変換２０２６によりモノクロ変換処理を施す。このとき、文字領域にカラーが含まれる場合はそのモノクロ変換方法については特に限定されないが、カラー写真領域については選択されたモノクロ変換方法によりモノクロ変換を行う。そして、モノクロ画像データをモノクロ画像形成装置１００に送信し、モノクロ画像を出力する。【選択図】図４
2008136036.tif 000002
【特許請求の範囲】
【請求項１】
カラー画像読取装置とモノクロ画像形成装置とが通信可能に接続されて構成される画像形成システムであって、
前記カラー画像読取装置は、
カラー写真領域を含む原稿画像を読み取って原稿画像データを得る画像読取部と、
前記カラー写真領域のモノクロ変換方法を複数のモノクロ変換方法の中から選択する選択手段と、
該選択手段により選択されたモノクロ変換方法に基づいて、前記画像読取部により読み取られた原稿画像データにおけるカラー写真領域をモノクロ変換するモノクロ変換手段と、
該モノクロ変換手段により前記カラー写真領域がモノクロ変換されたモノクロ原稿画像データを前記モノクロ画像形成装置に送信する送信部と、を有し、
前記モノクロ画像形成装置は、
前記送信部から送信されたモノクロ原稿画像データを受信する受信部と、
該受信部により受信したモノクロ原稿画像データに基づいてモノクロ原稿画像を形成する画像形成部と、
を有することを特徴とする画像形成システム。
【請求項２】
前記カラー画像読取装置は、
モノクロ変換方法の選択画面を表示する表示部と、
該表示部に表示された選択画面において所望するモノクロ変換方法の情報を入力する情報入力部と、を有し、
前記選択手段は、前記情報入力部により入力された情報に基づいて、前記カラー写真領域のモノクロ変換方法を複数のモノクロ変換方法の中から選択することを特徴とする請求項１に記載の画像形成システム。
【請求項３】
前記表示部は、前記選択手段で選択されたモノクロ変換方法によりモノクロ変換されたサンプル画像を表示することを特徴とする請求項２に記載の画像形成システム。
【請求項４】
前記表示部は、前記モノクロ画像形成装置における画像形成条件を反映したサンプル画像を表示することを特徴とする請求項３に記載の画像形成システム。
【請求項５】
前記モノクロ変換手段は、カラー写真領域をモノクロ変換するにあたり、中間調にディザ処理あるいは誤差拡散処理を施すことを特徴とする請求項１乃至４の何れか１項に記載の画像形成システム。
【請求項６】
モノクロ画像形成装置と通信可能に接続されて構成されるカラー画像読取装置であって、
カラー写真領域を含む原稿画像を読み取って原稿画像データを得る画像読取部と、
前記カラー写真領域のモノクロ変換方法を複数のモノクロ変換方法の中から選択する選択手段と、
該選択手段により選択されたモノクロ変換方法に基づいて、前記画像読取部により読み取られた原稿画像データにおけるカラー写真領域をモノクロ変換するモノクロ変換手段と、
該モノクロ変換手段により前記カラー写真領域がモノクロ変換されたモノクロ原稿画像データを前記モノクロ画像形成装置に送信する送信部と、
を有することを特徴とするカラー画像読取装置。
【請求項７】
モノクロ変換方法の選択画面を表示する表示部と、
該表示部に表示された選択画面において所望するモノクロ変換方法の情報を入力する情報入力部と、を有し、
前記選択手段は、前記情報入力部により入力された情報に基づいて、前記カラー写真領域のモノクロ変換方法を複数のモノクロ変換方法の中から選択することを特徴とする請求項６に記載のカラー画像読取装置。
【請求項８】
前記表示部は、前記選択手段により選択されたモノクロ変換方法でモノクロ変換されたサンプル画像を表示することを特徴とする請求項７に記載のカラー画像読取装置。
【請求項９】
前記表示部は、前記モノクロ画像形成装置における画像形成条件を反映したサンプル画像を表示することを特徴とする請求項８に記載のカラー画像読取装置。
【請求項１０】
前記モノクロ変換手段は、カラー写真領域をモノクロ変換するにあたり、中間調にディザ処理あるいは誤差拡散処理を施すことを特徴とする請求項６乃至９の何れか１項に記載のカラー画像読取装置。
【発明の詳細な説明】
【技術分野】
【０００１】
本発明は、カラー画像読取装置及び当該カラー画像読取装置とモノクロ画像形成装置とが通信可能に接続されて構成される画像形成システムに関する。
【背景技術】
【０００２】
近年、複数の画像形成装置がネットワークにより接続され、原稿画像を読み取った画像形成装置とは別の画像形成装置により前記原稿画像を出力する、所謂タンデム出力が可能な画像形成システムが提供されている。この種の画像形成システムによれば、原稿画像を読み取る画像形成装置や原稿画像を出力する画像形成装置を任意に選択することができる。したがって、例えば、ある画像形成装置が読み取り処理中のために新たな読み取りジョブを実施できない場合でも、他の画像形成装置で読み取ることが可能であり、また、複数の画像形成装置を協働させて読み取りや出力を行うことも可能であるため、作業効率の向上を実現することができる。
【０００３】
一般に、タンデム出力をする場合、（１）原稿画像はモノクロで出力画像もモノクロ、（２）原稿画像はカラーで出力画像はモノクロ、（３）原稿画像はカラーで出力画像もカラー、の３種類に分類される。これらの内、上記（２）のタイプにおいては、原稿画像をカラー画像形成装置で読み取り、当該読み取った画像データをモノクロ画像形成装置に送信してモノクロ画像を出力する構成が望ましい。通常のモノクロ画像形成装置はカラースキャン機能を備えていないものが多く、こういったモノクロ画像形成装置によりカラーの原稿画像を読み取ると、正しいカラーの画像データが得られない。また、カラー画像形成装置は全てのモノクロ画像に適した画像形成条件を備えていない場合があり、最適なモノクロ画像を出力できないこともある。このため、カラー画像形成装置で原稿画像を読み取り、モノクロ画像形成装置でモノクロ画像を出力することにより、カラーの原稿画像から高品質なモノクロ画像を出力することが可能となる。
【０００４】
しかしながら、従来から知られている上述の構成においては、カラー画像形成装置で読み取られた原稿画像データは、カラー画像データとしてモノクロ画像形成装置に送信され、モノクロ画像形成装置で当該カラー画像データをモノクロ変換して出力していた。したがって、送信する画像データのデータ容量が大きく、画像データの送信時間が長くなってしまうばかりか、モノクロ画像形成装置のメモリを無駄に使用するという問題があった。
【０００５】
そこで、カラー画像形成装置でカラー画像データをモノクロ画像データに変換し、当該モノクロ画像データをモノクロ画像形成装置に送信する画像形成システムが開示されている（特許文献１参照）。この特許文献１は、カラー原稿画像をカラー画像形成装置（複合複写装置）で読み取ってカラー画像データを得るとともに、カラー画像データと当該カラー画像データから変換したモノクロ画像データとを記憶部に蓄積しておき、受信側がモノクロ画像形成装置である場合はモノクロ画像データを送信するように構成されている。
【特許文献１】特開２００４−７２１６６号公報
【発明の開示】
【発明が解決しようとする課題】
【０００６】
一方、デジタルカメラやインターネットの爆発的な普及にともないカラー写真を出力する需要が増大しており、原稿画像中にカラーの写真画像が含まれることが多くなってきている。ところが、上述した特許文献１では、原稿画像中にカラーの写真画像が含まれることは想定されていない。一般的なカラーの写真画像は多数色を使用して再現されており、これをモノクロ変換すると見栄えや印象が大きく変化するために個人の嗜好が強く関係するが、一義的に文字領域と同様の方法によりモノクロ変換してしまうと、操作者の要望に適した出力を行うことができない。
【０００７】
そこで本発明は、上記の課題に鑑みてなされたものであって、カラーの写真画像を含む原稿画像をモノクロ画像としてタンデム出力する場合に、最適なモノクロ出力が可能な画像形成システムの提供を目的とする。
【課題を解決するための手段】
【０００８】
上記目的を達成するため本発明の画像形成システムは、カラー画像読取装置とモノクロ画像形成装置とが通信可能に接続されて構成される画像形成システムであって、前記カラー画像読取装置は、カラー写真領域を含む原稿画像を読み取って原稿画像データを得る画像読取部と、前記カラー写真領域のモノクロ変換方法を複数のモノクロ変換方法の中から選択する選択手段と、該選択手段により選択されたモノクロ変換方法に基づいて、前記画像読取部により読み取られた原稿画像データにおけるカラー写真領域をモノクロ変換するモノクロ変換手段と、該モノクロ変換手段により前記カラー写真領域がモノクロ変換されたモノクロ原稿画像データを前記モノクロ画像形成装置に送信する送信部と、を有し、前記モノクロ画像形成装置は、前記送信部から送信されたモノクロ原稿画像データを受信する受信部と、該受信部により受信したモノクロ原稿画像データに基づいてモノクロ原稿画像を形成する画像形成部と、を有することを特徴とする。
【０００９】
また、上記目的を達成するため本発明のカラー画像読取装置は、モノクロ画像形成装置と通信可能に接続されて構成されるカラー画像読取装置であって、カラー写真領域を含む原稿画像を読み取って原稿画像データを得る画像読取部と、前記カラー写真領域のモノクロ変換方法を複数のモノクロ変換方法の中から選択する選択手段と、該選択手段により選択されたモノクロ変換方法に基づいて、前記画像読取部により読み取られた原稿画像データにおけるカラー写真領域をモノクロ変換するモノクロ変換手段と、該モノクロ変換手段により前記カラー写真領域がモノクロ変換されたモノクロ原稿画像データを前記モノクロ画像形成装置に送信する送信部と、を有することを特徴とする。
【発明の効果】
【００１０】
本発明によれば、カラー画像読取装置によりカラーの写真領域を含む原稿画像を読み取って原稿画像データを取得し、選択されたモノクロ変換方法により原稿画像データ中のカラー写真領域をモノクロ変換し、変換後のモノクロ画像データをモノクロ画像形成装置に送信してモノクロ画像を出力するので、最適なモノクロ画像を出力することができる。
【発明を実施するための最良の形態】
【００１１】
以下、図面を参照して本発明の実施の形態を説明する。なお、本実施の形態の説明における記載により、本発明の技術的範囲が限定されることはない。
【００１２】
図１は、本実施形態における画像形成システムの概略構成図である。図に示すように、画像形成システム１は、モノクロ画像形成装置１００とカラー画像形成装置２００とを備えており、これらは互いに通信可能なネットワーク３００を介して接続されている。そして、後述するように、カラー画像形成装置２００によりカラーの写真領域を含む原稿画像を読み取ってモノクロ画像データに変換し、当該モノクロ画像データをネットワーク３００を介してモノクロ画像形成装置１００に送信し、当該モノクロ画像形成装置１００によりモノクロ画像を出力するように構成されている。なお、ネットワーク３００はデータ通信可能である通信網を意味するものであれば特に限定されず、例えばインターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、電話回線網、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）回線網、ＣＡＴＶ（Ｃａｂｌｅ  Ｔｅｌｅｖｉｓｉｏｎ）回線、光通信回線などを含めることができる。また、有線のみならず無線によって通信可能な構成としても良い。
【００１３】
なお、簡略化のため図示していないが、通常、このネットワーク３００にはパーソナルコンピュータや他の複数の画像形成装置が接続されており、パーソナルコンピュータから情報を入力したり、他の複数の画像形成装置から出力したりすることも可能である。
【００１４】
図６は、モノクロ画像形成装置１００の概略構成図である。このモノクロ画像形成装置１００は、両面原稿自動送り装置ＲＡＤＦ１と画像形成装置本体Ａ１とから構成されている。
【００１５】
両面原稿自動送り装置ＲＡＤＦ１は、画像形成装置本体Ａ１の上部にあり開閉可能となっている。原稿給紙台ａ１に裁置されたモノクロ原稿Ｓ１は、給紙ローラｂ１、分離ローラｃ１、レジストローラｄ１、さらに搬送ドラムｅ１によって搬送される。
【００１６】
画像形成装置本体Ａ１は、画像読取部１０１、画像処理部１０２、画像形成部１０４、記録材収納部１０５、搬送部１０６、定着部１０７、排紙部１０８等から構成されている。
【００１７】
画像読取部１０１の光学系は、光源と第１ミラーを備える露光ユニット１１４、第２ミラーと第３ミラーを備えるＶミラーユニット１１５、レンズ１１６、モノクロＣＣＤイメージセンサ１１７により構成されている。そして、このモノクロＣＣＤイメージセンサ１１７によって得られた電気信号は、画像処理部１０２によってアナログ処理、Ａ／Ｄ変換、シェーディング補正、画像圧縮処理等の画像処理が行われ、モノクロ画像データとして記憶される。
【００１８】
次に、画像形成部１０４により記録材Ｐに画像を形成するプロセスを説明する。
【００１９】
像担持体としての感光体１４１がメインモータ（図示せず）により駆動され、感光体１４１の表面が電源（図示せず）により電圧供給され、帯電部１４２の放電により負極性に帯電される。次に、画像書込部１４６によりモノクロ画像データに応じた光書込がなされ、感光体１４１上に静電潜像が形成される。形成された静電潜像が現像部１４３を通過すると、現像部１４３内で負極性に帯電されたトナー（現像剤）が負極性現像バイアスの印加により潜像画像の部分に付着し、感光体１４１上にトナー像が形成される。記録材収納部１０５から給紙された記録材Ｐが感光体１４１に到達すると、感光体１４１上に形成されたトナー像が転写部１４４によって記録材Ｐへ転写され、記録材Ｐは分離部１４５によって分離される。感光体１４１から分離された記録材Ｐは、搬送部１０６により加熱ローラ、加圧ローラのローラ対からなる定着部１０７へ送られる。その結果、トナー像が記録材Ｐへ定着され、画像の形成された記録材Ｐが排紙部１０８により装置外の排紙トレイ１８１に排出される。
【００２０】
図７は、カラー画像形成装置２００の概略断面図である。このカラー画像形成装置２００は、複数の感光体に形成される互いに異なる色のトナー像を共通の中間転写体に順次に転写することにより当該中間転写体上で各色のトナー像を重ね合せ、この中間転写体に形成されたカラートナー像を記録材に一括して転写することにより記録材上にカラートナー像を形成する、いわゆる中間転写方式のものである。
【００２１】
カラー画像形成装置２００は、両面原稿自動送り装置ＲＡＤＦ２と画像形成装置本体Ａ２とから構成されている。画像形成装置本体Ａ２は、画像読取部２０１、画像処理部２０２、複数組の画像形成部２０４Ｙ、２０４Ｍ、２０４Ｃ、２０４Ｋ、記録材収納部２０５、ベルト状の中間転写体２０６、定着装置２０７、操作部２５１、表示部２５２などを備えている。なお、両面原稿自動送り装置ＲＡＤＦ２の基本的な構成については、モノクロ画像形成装置１００のＲＡＤＦ１とほぼ同様であるため説明は省略する。
【００２２】
画像読取部２０１の光学系は、光源と第１ミラーを備える露光ユニット２１４、第２ミラーと第３ミラーを備えるＶミラーユニット２１５、レンズ２１６、カラーＣＣＤイメージセンサ２１７により構成されている。両面原稿自動送り装置ＲＡＤＦ２によって搬送されたカラー原稿Ｓ２に対する画像読取動作は、露光ユニット２１４がスリット露光用ガラス２１３の下方に位置した状態で行われる。原稿台ガラス２１１上に置かれたカラー原稿Ｓ２に対する画像読取動作は、露光ユニット２１４及びＶミラーユニット２１５が移動することによって行われる。そして、光源からの光をカラー原稿Ｓ２に照射すると、当該カラー原稿Ｓ２からの反射光が露光ユニット２１４の第１ミラー、Ｖミラーユニット２１５、レンズ２１６を介してカラーＣＣＤイメージセンサ２１７に入射され、ここで、入射光がＲ（レッド）、Ｇ（グリーン）、Ｂ（ブルー）の光の３原色に応じた電気信号に変換される。このカラーＣＣＤイメージセンサ２１７によって変換された電気信号は、画像処理部２０２によってアナログ処理、Ａ／Ｄ変換、シェーディング補正等の画像処理が行われる。なお、画像処理部２０２の具体的な処理内容は後述する。
【００２３】
イエロートナー像、マゼンタトナー像、シアントナー像およびブラックトナー像を形成する画像形成部２０４Ｙ、２０４Ｍ、２０４Ｃ、２０４Ｋは、中間転写体２０６の移動方向Ｗに沿って、中間転写体２０６の外周面領域に互いに離間して並ぶよう設けられている。
【００２４】
画像形成部２０４Ｙは回転可能なドラム状の感光体２４１Ｙを備え、この感光体２４１Ｙの外周面領域において、各々、感光体２４１Ｙの回転方向Ｒに対して、帯電器２４２Ｙ、画像書込部２４６Ｙおよびイエロートナー（現像剤）により現像を行う現像部２４３Ｙとが動作順に並ぶよう配設されている。また、感光体２４１Ｙの回転方向Ｒにおける現像部２４３Ｙより下流の位置には、１次転写部２４４Ｙおよびクリーニング部２４８Ｙがこの順に設けられている。
【００２５】
感光体２４１Ｙ、帯電器２４２Ｙ、画像書込部２４６Ｙ、現像部２４３Ｙ、クリーニング部２４８Ｙは、それぞれモノクロ画像形成装置１００と同様の構成を有する。なお、１次転写部２４４Ｙは回転可能なローラからなり、感光体２４１Ｙ上に形成されたイエロートナー像を中間転写体２０６上に転写するものである。
【００２６】
他の画像形成部２０４Ｍ、２０４Ｃ、２０４Ｋの各々についても、現像剤がイエロートナーの代わりにそれぞれマゼンタトナー、シアントナー、ブラックトナーを含むものである他は、イエロートナー像に係る画像形成部２０４Ｙと同様の構成である。
【００２７】
このカラー画像形成装置２００においては、次のようにして画像形成動作が行われる。すなわち、画像形成部２０４Ｙ、２０４Ｍ、２０４Ｃ、２０４Ｋの各々において、感光体２４１Ｙ、２４１Ｍ、２４１Ｃ、２４１Ｋが回転駆動され、この感光体２４１Ｙ、２４１Ｍ、２４１Ｃ、２４１Ｋが帯電部２４２Ｙ、２４２Ｍ、２４２Ｃ、２４２Ｋによって所定の極性、例えば負極性に帯電される。次いで、感光体２４１Ｙ、２４１Ｍ、２４１Ｃ、２４１Ｋの表面に、画像書込部２４６Ｙ、２４６Ｍ、２４６Ｃ、２４６Ｋによって露光がされることにより静電潜像が形成される。そして、現像部２４３Ｙ、２４３Ｍ、２４３Ｃ、２４３Ｋにより感光体２４１Ｙ、２４１Ｍ、２４１Ｃ、２４１Ｋの静電潜像にトナーが供給され、これにより各色のトナー像が形成される。さらに、１次転写部２４４Ｙ、２４４Ｍ、２４４Ｃ、２４４Ｋにより順次に１次転写されて重ね合せられ、中間転写体２０６上にカラートナー像が形成される。
【００２８】
給紙カセット２０５内に収容された記録材Ｐは、給紙ローラ２２１、搬送ローラ２２２Ａ、２２２Ｂ、２２２Ｃ、２２２Ｄ及びレジストローラ２２３等を経て、２次転写部２４４Ａに搬送され、記録材Ｐ上にカラー画像が転写される。カラー画像が転写された記録材Ｐは、定着装置２０７において記録材Ｐが挟持され、熱と圧力とを加えることにより記録材Ｐ上のカラートナー像（或いはトナー像）が定着されて記録材Ｐ上に固定され、排紙経路側の排紙ローラ２０８に挟持されて機外の排紙トレイ２８１上に載置される。
【００２９】
一方、転写手段２４４Ａにより記録材Ｐにカラー画像を転写した後、記録材Ｐを曲率分離した中間転写体２０６は、クリーニング手段２４８Ａにより残留トナーが除去される。
【００３０】
なお、上述した例では、イエロー、マゼンタ、シアン、ブラックを重ね合せたカラー画像を形成する例を説明したが、画像形成部２０４Ｙ、２０４Ｍ、２０４Ｃをそれぞれ単独で動作させることにより、イエロー、マゼンタ、シアンそれぞれの単色からなるカラー画像を形成することも可能であるし、また、画像形成部２０４Ｋのみを動作させることにより、モノクロ画像を形成することも可能である。
【００３１】
図２は、画像形成システム１の制御系のブロック図であり、ここでは代表的なものを示す。モノクロ画像形成装置１００は、画像形成部１０４、ＲＯＭ（Ｒｅａｄ  Ｏｎｌｙ  Ｍｅｍｏｒｙ）１１、ＲＡＭ（Ｒａｍｄｏｍ  Ａｃｃｅｓｓ  Ｍｅｍｏｒｙ）１２、通信部１３及びこれらを制御する制御部としてのＣＰＵ（Ｃｅｎｔｒａｌ  Ｐｒｏｃｅｓｓｉｎｇ  Ｕｎｉｔ）１０を備えている。画像形成部１０４の機能は上述したので、ここでは説明を省略する。
【００３２】
ＲＯＭ１１は、ＣＰＵ１０が各部の制御を行うのに必要な制御プログラムを記憶する。
【００３３】
ＲＡＭ１２は、ＣＰＵ１０がＲＯＭ１１から動作毎に読み出した制御プログラムを展開するための一時記憶部として機能する。
【００３４】
受信部としての通信部１３は、カラー画像形成装置２００からのモノクロ画像データ、各種通信信号などを受信するためのインターフェースである。この通信部１３は、ＵＳＢ（Ｕｎｉｖｅｒｓａｌ  Ｓｅｒｉａｌ  Ｂｕｓ）やＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４などによりカラー画像形成装置２００の通信部２３と接続されている。
【００３５】
カラー画像形成装置２００は、画像読取部２０１、画像処理部２０２、操作部２５１、表示部２５２、ＲＯＭ２１、ＲＡＭ２２、通信部２３及びこれらを制御するＣＰＵ２０を備えている。画像読取部２０１の機能は上述したので、ここでは説明を省略する。
【００３６】
情報入力部としての操作部２５１は、キーボードやマウスなどの入力機器を備えており、操作者がこの入力機器を操作することにより、カラー画像形成装置２００における各種設定をすることができる。例えば、カラー画像形成装置２００とモノクロ画像形成装置１００とをタンデム接続するための設定、カラー原稿Ｓ２の読み取りモードとしての「文字」、「文字＋写真」、「写真」の設定、カラー原稿Ｓ２に形成されたカラー写真領域をモノクロ変換するためのモノクロ変換方法の設定などを行うことができる。
【００３７】
表示部２５２は、ＣＲＴ（Ｃａｔｈｏｄｅ  Ｒａｙ  Ｔｕｂｅ）、液晶、有機ＥＬ、プラズマ又は投影方式などのディスプレイから構成され、各種設定するときの設定画面を表示するようになっている。なお、操作部２５１と表示部２５２を、入力機能と表示機能を兼ね備えたタッチパネルにより構成しても良い。
【００３８】
画像処理部２０２は、画像読取部２０１でカラー原稿Ｓ２を読み取ることにより得られたＲ、Ｇ、Ｂからなるカラー画像データに対して、Ａ／Ｄ変換、シェーディング補正等の画像処理を行う。また、操作部２５１によりモノクロ画像形成装置１００とのタンデム接続モードが設定されると、カラー画像データをモノクロ画像データに変換する処理を行う。更に、カラー原稿Ｓ２がカラー写真領域を含む場合には、当該カラー写真領域を、選択されたモノクロ変換方法によりモノクロ変換する処理を行う。すなわち、この画像処理部２０２が、本発明におけるモノクロ変換手段として機能する。
【００３９】
図３は、画像処理部２０２における画像処理の流れを示すブロック図である。この図３を参照しつつ、画像処理部２０２の処理内容を説明する。なお、ここではモノクロ画像形成装置１００とのタンデム接続モードが設定され、カラー画像データをモノクロ画像データへ変換する場合の主要な処理のみを説明するが、カラー画像データをカラー画像として出力する場合には、別途、γ変換処理、平均化処理などを行う。
【００４０】
図３に示すように、画像読取部２０１のカラーＣＣＤイメージセンサ２１７で得られたカラー画像データには、Ａ／Ｄ変換２０２１、シェーディング補正２０２２、文字／写真領域判別２０２３、変倍２０２４、空間フィルタ２０２５及びモノクロ変換２０２６などの処理が施される。
【００４１】
Ａ／Ｄ変換２０２１は、標本化、量子化などを行い、アナログのカラー画像データをデジタルのカラー画像データに変換する。
【００４２】
シェーディング補正２０２２は、光学系や撮像系の特性による輝度ムラ補正する。
【００４３】
文字／写真領域判別２０２３は、操作部２５１によりカラー原稿Ｓ２の読み取りモードが、「文字＋写真」あるいは「写真」として設定された場合に行う処理であり、例えば、特開平１０−３３６４６６号公報に記載されている方法により文字／写真領域の判別を行うことができる。具体的には、注目画素を含む特定の画素領域内において、濃度の最大値及び最小値を求めるとともに、この濃度の最大値と最小値とを減算することにより最大濃度差を求め、当該最大濃度差が予め設定されている閾値よりも大きい場合は、注目画素を文字領域として判別し、閾値未満である場合は、注目画素を写真領域として判別するように構成されている。なお、文字／写真領域の判別は、上述した方法に限られず、公知の方法を利用することが可能である。
【００４４】
変倍２０２４は、カラー画像データに縮小・拡大処理を施すものであり、カラー原稿Ｓ２と記録紙Ｐとのサイズを自動調整する場合やＮｉｎ１の合成出力をする場合などには自動的に実行し、また、操作者が操作部２５１により明示した場合に実行する。もちろん、この縮小・拡大処理は実行しない場合もある。
【００４５】
空間フィルタ２０２５は、注目画素周辺の画素の情報を参酌してスムージングやエッジ強調処理などを実行するものである。
【００４６】
モノクロ変換２０２６は、カラー画像データをモノクロ画像データに変換する。カラー画像データをモノクロ画像データに変換するモノクロ変換方法としては、単純にＲ、Ｇ、Ｂデータを平均化し、各画素のグレースケール画像強調値を利用する方法、ＲやＧのデータをそのままモノクロ画像データとする方法、Ｒ、Ｇ、Ｂ、の３成分から下記演算式（１）を用いて色情報を輝度Ｙの情報に変換する方法などがある。
【００４７】
Ｙ＝０．３Ｒ＋０．５９Ｇ＋０．１１Ｂ・・・（１）
なお、例えば、各色成分において鮮鋭性が非常に異なり、鮮鋭性が大きく、また画像に細かな変化がある色成分がＢ成分であった場合、上記演算式（１）においてはＢ成分の寄与が小さいことから元のカラー画像データでの鮮鋭性や微細な変化がモノクロ画像データにほとんど反映されなくなってしまうこともある。これは、見栄えや印象が重要であるカラーの写真領域について、特に問題となる。そのため、画像の特徴に応じて最適な変換処理ができるように、各色成分に特別な重み係数を乗じた演算式を用意しておくのが好ましい。
【００４８】
図２に戻り、ＲＯＭ２１は、ＣＰＵ１０が各部の制御を行うのに必要な制御プログラム、例えば画像処理プログラムなどを記憶する。また、モノクロ変換方法を選択するための選択画面に表示するサンプル画像を記憶する。
【００４９】
ＲＡＭ２２は、ＣＰＵ２０がＲＯＭ２１から動作毎に読み出した制御プログラムを展開するための一時記憶部として機能する。また、上述した画像処理部２０２によって変換されたモノクロ画像データを記憶したりする。
【００５０】
送信部としての通信部２３は、ＲＡＭ２２に記憶されたモノクロ画像データをモノクロ画像形成装置１００に送信したり、各種情報を送信したりするためのインターフェースである。
【００５１】
ＣＰＵ２０は、ＲＯＭ２１に記憶された制御プログラムに従って各部を制御するように構成されている。例えば、操作部２５１の入力操作に基づいてモノクロ変換方法を選択したり、カラー画像データを解析して当該カラー画像データに最適なモノクロ変換方法を選択したりする。すなわち、このＣＰＵ２０が選択手段に相当する。
【００５２】
図４は、カラー画像形成装置２００によりカラー原稿Ｓ２を読み取ってモノクロ画像データを取得し、モノクロ画像形成装置１００によりモノクロ画像を形成するときのシーケンス図である。
【００５３】
まず、カラー画像形成装置２００の操作部２５１により、モノクロ画像形成装置１００で画像を形成するタンデムモードの設定入力がなされると、カラー画像形成装置２００は、モノクロ画像形成装置１００に対して通信部２３を介してタンデム接続要求信号を送信する（ステップＳ１０）。モノクロ画像形成装置１００は、カラー画像形成装置２００から通信部１３を介してタンデム接続要求信号を受信すると、タンデム接続が可能であれば（ステップＳ１１：Ｙｅｓ）、タンデム接続ＯＫの信号とともに、モノクロ画像形成装置１００の画像形成条件（記録材Ｐのサイズ、解像度など）をカラー画像形成装置２００に送信する（ステップＳ１２）。
【００５４】
カラー画像形成装置２００は、モノクロ画像形成装置１００からタンデム接続ＯＫ信号を受信すると、次に、カラー原稿Ｓ２の読み取りモードを設定する。上述したように、カラー原稿Ｓ２の読み取りモードとしては、「文字」、「文字＋写真」、「写真」という３パターンがあるが、ここではカラー原稿Ｓ２はカラーの写真領域を含んだものであるとし、操作部２５１により「文字＋写真」あるいは「写真」が設定入力される（ステップＳ１３）。「文字＋写真」あるいは「写真」の設定入力を受けると、カラー画像形成装置２００は写真領域についてのモノクロ変換方法を選択する選択画面を表示部２５２に表示する（ステップＳ１４）。
【００５５】
図５は、モノクロ変換方法の選択画面を表示部２５２に表示した例を示す図である。図５において、画面左側には、複数のモノクロ変換方法の中から所望するモノクロ変換方法を入力するための入力ボタン２５２Ａ〜２５２Ｄが表示されている。また、画面右側には、当該入力ボタン２５２Ａ〜２５２Ｄの何れか入力されたモノクロ変換方法によってモノクロ変換したサンプル画像を表示するためのサンプル画像表示画面２５２１と、決定ボタン２５２Ｇ及び戻るボタン２５２Ｆが表示されている。なお、画面左側に表示された相手の画像形成条件考慮ボタン２５２Ｅは、モノクロ画像形成装置１００の画像形成条件を反映させるためのボタンであり、このボタンを押下することによりモノクロ画像形成装置１００での画像形成条件を反映させたサンプル画像がサンプル画像表示部２５２１に表示される。なお、図示していないが、例えば、サンプル画像表示画面２５２１に表示されたサンプル画像を見やすくするため、当該サンプル画像を拡大する拡大機能を備えても良い。
【００５６】
操作者は、操作部２５１を用いて、表示部２５２に表示された複数のモノクロ変換方法の中から所望するモノクロ変換方法に対応する入力ボタン２５２Ａ〜２５２Ｄを押下する。カラー画像形成装置２００は、操作部２５１からの入力を受けて、モノクロ変換方法を選択する（ステップＳ１５；選択手段）。そして、ＲＯＭ２１に記憶されたサンプル画像を読み出し、当該サンプル画像に対してステップＳ１５で選択されたモノクロ変換方法によりモノクロ変換処理を施し、このモノクロ変換処理されたサンプル画像をサンプル画像表示部２５２１に表示する（ステップＳ１６）。このとき、操作部２５１により相手の画像形成条件考慮ボタン２５２Ｅの入力を受けていれば、モノクロ変換処理が施されたサンプル画像に対してモノクロ画像形成装置１００の画像形成条件を反映させる画像処理を行い、サンプル画像表示部２５２１に表示する。
【００５７】
操作者は、サンプル画像表示部２５２１に表示されたサンプル画像を確認し、問題がなければ、操作部２５１を用いて決定ボタン２５２Ｇを押下する。カラー画像形成装置２００は、決定ボタン２５２Ｇの押下を受けて、選択されたモノクロ変換方法の情報や印刷部数などのジョブ情報を、通信部２３を介してモノクロ画像形成装置１００へ送信する（ステップＳ１７）。モノクロ画像形成装置１００は、カラー画像形成装置２００から通信部１３を介してジョブ情報を受信し、当該ジョブ情報に問題がなければ応答信号を送信する（ステップＳ１８）。
【００５８】
操作者は、モノクロ画像形成装置１００から応答信号を受信したことを確認すると、操作部２５１により読取開始ボタン（図示しない）を押下する。カラー画像形成装置２００は、読取開始ボタンの押下を受けて、カラー原稿Ｓ２を画像読取部２０１により読み取り（ステップＳ１９）、Ｒ、Ｇ、Ｂからなるカラー画像データを取得する。そして、カラー画像データを取得すると、画像処理部２０２は、当該カラー画像データに対して図３に示した画像処理、すなわち、Ａ／Ｄ変換２０２１によりデジタルデータに変換し、シェーディング補正２０２２により光学系や撮像系の特性による輝度ムラ補正し、文字／写真領域判別２０２３によりカラー画像データ中の文字領域と写真領域とを判別し、変倍２０２４によりデータを拡大・縮小し、空間フィルタ２０２５によりスムージングやエッジ強調処理などを施す（ステップＳ２０）。更に、モノクロ変換２０２６によりカラー画像データをモノクロ画像データに変換する（ステップＳ２１；モノクロ変換手段）。このとき、文字領域にカラーが含まれる場合はそのモノクロ変換方法については特に限定されないが、カラー写真領域については上記ステップＳ１５で選択されたモノクロ変換方法によりモノクロ変換を行う。なお、このカラー写真領域をモノクロ変換する場合、中間調にはスクリーン処理を行わず、ディザ処理または誤差拡散処理を施す。これにより、滑らかな画像を得ることができる。
【００５９】
そして、モノクロ変換されたモノクロ画像データをＲＡＭ２２に記憶する（ステップＳ２２）。その後、モノクロ画像データ中の写真領域を再度表示部２５２に表示し（図示しない）、問題があれば（ステップＳ２３：Ｎｏ）、再度ステップＳ１４に戻って処理をやりなおす。問題がなければ（ステップＳ２３：Ｙｅｓ）、ＲＡＭ２２に記憶されたモノクロ画像データを、通信部２３を介してモノクロ画像形成装置１００に送信する（ステップＳ２４）。
【００６０】
モノクロ画像形成装置１００は、通信部１３を介してカラー画像形成装置２００からモノクロ画像データを受信すると、記録紙Ｐを給紙し、画像形成部１０４により当該記録紙Ｐ上にモノクロ画像を形成する（ステップＳ２５）。そして、画像形成が終了すると（ステップＳ２６：Ｙｅｓ）、画像形成終了通知をカラー画像形成装置２００へ送信し（ステップＳ２７）、処理は終了となる。
【００６１】
このように、本実施の形態においては、カラー画像形成装置２００により読み取られた画像データ中のカラー写真領域については、選択されたモノクロ変換方法によりモノクロ変換するように構成されているので、カラー写真領域に適したモノクロ変換を施すことが可能となり、最適なモノクロ画像を出力することができる。
【００６２】
また、カラー画像形成装置２００でカラー原稿画像を読み取り、モノクロ画像形成装置１００でモノクロ画像を形成するように構成されているので、正しいカラー画像を読み取り、適切な画像形成条件でモノクロ画像を出力することが可能となり、高品質なモノクロ画像を出力することができる。
【００６３】
また、カラー画像形成装置２００で得られたカラー画像データをモノクロ画像データに変換してからモノクロ画像形成装置１００に送信したため、送信時のデータ容量を極力抑えることが可能となり、画像データの送信時間を短縮するとともに、モノクロ画像形成装置１００のメモリの使用容量を低減させることができる。
【００６４】
また、カラー画像形成装置２００の表示部２５２に、選択されたモノクロ変換方法によりモノクロ変換したサンプル画像を表示するように構成したので、選択したモノクロ変換方法が好ましいものであるかを事前に確認することができ、操作者の要望に合致したモノクロ変換方法を選択することが可能となる。
【００６５】
また、モノクロ画像形成装置１００の画像形成条件を反映させる画像処理をサンプル画像に施し、当該画像処理が施されたサンプル画像を表示するように構成したので、例えば、モノクロ画像形成装置１００が特殊なγ値を有する場合などに、予め、モノクロ画像形成装置１００での出力予想画像を確認することが可能となる。
【００６６】
なお、上述の構成では、サンプル画像をＲＯＭ２１に記憶しておき、モノクロ変換方法が選択されると、当該ＲＯＭ２１からサンプル画像を読み出して当該サンプル画像にモノクロ変換処理を施すように構成したが、例えば、それぞれのモノクロ変換処理が施された複数のサンプル画像をＲＯＭ２１に記憶しておくようにしても構わない。
【００６７】
また、カラー画像形成装置２００の操作部２５１における入力ボタン２５２Ａ〜２５２Ｄの入力を受けて、ＣＰＵ２０がモノクロ変換方法を選択するように構成したが、ＣＰＵ２０がカラー画像データを解析して自動的に好ましいモノクロ変換方法を選択するようにしても構わない。
【００６８】
また、モノクロ画像形成装置１００は電子写真方式により画像を形成する例で説明したが、例えば、インクジェット方式、熱転写方式、銀塩写真方式など、他の方式により画像を形成するように構成しても良い。
【００６９】
また、モノクロ画像形成装置１００とカラー画像形成装置２００とを通信可能に接続して画像形成システムを構成したが、本発明においては、カラー画像形成装置２００が少なくともカラー原稿の読み取り機能を備えたカラー画像読取装置であれば実現できることは言うまでもない。
【図面の簡単な説明】
【００７０】
【図１】本実施形態における画像形成システムの概略構成図である。
【図２】画像形成システムの制御系のブロック図である。
【図３】画像処理部における画像処理の流れを示すブロック図である。
【図４】カラー画像形成装置によりカラー原稿を読み取ってモノクロ画像データを取得し、モノクロ画像形成装置によりモノクロ画像を形成するときのシーケンス図である。
【図５】モノクロ変換方法の選択画面を表示部に表示した例を示す図である。
【図６】モノクロ画像形成装置の概略構成図である。
【図７】カラー画像形成装置の概略断面図である。
【符号の説明】
【００７１】
１  画像形成システム
１００  モノクロ画像形成装置
２００  カラー画像形成装置
３００  ネットワーク
１０、２０  ＣＰＵ
１１、２１  ＲＯＭ
１２、２２  ＲＡＭ
１３、２３  通信部
１０４  画像形成部
２０１  画像読取部
２０２  画像処理部
２５１  操作部
２５２  表示部
２０２３  文字／写真領域判別
２０２６  モノクロ変換
Ｓ２  カラー原稿
【図１】
2008136036.tif 000003
【図２】
2008136036.tif 000004
【図３】
2008136036.tif 000005
【図４】
2008136036.tif 000006
【図５】
2008136036.tif 000007
【図６】
2008136036.tif 000008
【図７】
2008136036.tif 000009